(57)【特許請求の範囲】
【請求項１】
目地部を介して建てられた左右の建物の一方の建物の目地部側の壁躯体に先端部が水平方向に回動可能に取付けられた、該目地部のほぼ半分以上を覆う一方の目地プレートと、この一方の目地プレートの先端部と先端部がスライド移動可能で水平方向に回動可能に前記左右の建物の他方の建物の目地部側の壁躯体に取付けられた他方の目地プレートと、この他方の目地プレートと前記一方の目地プレートとの先端部が当接した状態でスライド移動可能に係止する係止片と、前記一方の目地プレートの上下部あるいは背面の少なくとも１箇所あるいは前記他方の目地プレートの背面に水平方向に形成されたガイド部と、このガイド部の前記目地部のほぼ中央部部位で、該ガイド部とスライド移動可能に係合する係合片をほぼ中央部に有する伸縮可能で、該係合片部位が常時前記目地部のほぼ中央部に位置できる両端部が左右の目地部側の壁躯体に枢支される目地プレートの平行維持リンク装置とからなることを特徴とする伸縮壁。
【請求項２】
目地部を介して建てられた左右の建物の一方の建物の目地部側の壁躯体に先端部が水平方向に回動可能に取付けられた、該目地部のほぼ半分以上を覆う先端部が開口の筒状の一方の目地プレートと、この一方の目地プレート内に先端部がスライド移動可能で水平方向に回動可能に前記左右の建物の他方の建物の目地部側の壁躯体に取付けられた他方の目地プレートと、前記一方の目地プレートの上下部あるいは背面の少なくとも１箇所に水平方向に形成されたガイド部と、両端部が前記左右の目地部側の壁躯体に枢支され、山形状に突出する中央部を枢支されたリンク本体、このリンク本体の左右のリンクのほぼ中央部に両端部が枢支され、山形状に突出する中央部を前記ガイド部の前記目地部のほぼ中央部部位で、該ガイド部とスライド移動可能に係合する係合片で枢支された平行リンクとからなる目地プレートの平行維持リンク装置とを備えることを特徴とする伸縮壁。
【発明の詳細な説明】
【０００１】
【発明の属する技術分野】
本発明は目地部を介して建てられた左右の建物の壁面間の目地部を覆う伸縮壁に関する。
【０００２】
【従来の技術】
従来、左右の建物の壁面間の目地部を覆う場合、左右の建物の内壁面の目地部寄りの部位の一方の躯体に所定間隔で固定された目地部内に支持部が形成された複数個の固定金具と、この固定金具にそれぞれ取付けられる前記左右の建物の目地部間に橋渡される複数個のカバー支持金具と、この複数個のカバー支持金具を常時両端部が左右の躯体に当接するように付勢する前記固定金具の支持部に取付けられた取付け金具と、前記複数個のカバー支持金具を覆うように該複数個のカバー支持金具に複数個のビスによって取付けられた目地カバーとからなる目地カバー装置を用いている。
【０００３】
【発明が解決しようとする課題】
従来の目地カバー装置では目地部の寸法が大きいと目地カバーが大きく、重たくなるため、地震等の揺れ動き時にスムーズに作動させることができず、損傷しやすいという欠点があった。
【０００４】
本発明は以上のような従来の欠点に鑑み、取り扱いが容易な大きさや重さの目地プレートを用いて、容易に設置することができるとともに、伸縮および異なる前後方向に左右の建物が揺れ動いても、その揺れ動きに追従して、損傷することがなく、かつ目地プレートを常時中央部で支持しながら平行に位置させることができる伸縮壁を提供することを目的としている。
【０００５】
本発明の前記ならびにそのほかの目的と新規な特徴は次の説明を添付図面と照らし合わせて読むと、より完全に明かになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物の一方の建物の目地部側の壁躯体に先端部が水平方向に回動可能に取付けられた、該目地部のほぼ半分以上を覆う一方の目地プレートと、この一方の目地プレートの先端部と先端部がスライド移動可能で水平方向に回動可能に前記左右の建物の他方の建物の目地部側の壁躯体に取付けられた他方の目地プレートと、この他方の目地プレートと前記一方の目地プレートとの先端部が当接した状態でスライド移動可能に係止する係止片と、前記一方の目地プレートの上下部あるいは背面の少なくとも１箇所あるいは前記他方の目地プレートの背面に水平方向に形成されたガイド部と、このガイド部の前記目地部のほぼ中央部部位で、該ガイド部とスライド移動可能に係合する係合片をほぼ中央部に有する伸縮可能で、該係合片部位が常時前記目地部のほぼ中央部に位置できる両端部が左右の目地部側の壁躯体に枢支される目地プレートの平行維持リンク装置とで伸縮壁を構成している。
【０００７】
【発明の実施の形態】
以下、図面に示す実施の形態により、本発明を詳細に説明する。
【０００８】
図１ないし図９に示す本発明の第１の実施の形態において、１は目地部２を介して建てられた左右の建物３、３の壁面３ａ、３ａ間の目地部２を覆う本発明の伸縮壁で、この伸縮壁１は前記左右の建物３、３の一方の建物３の目地部側の壁躯体３ｂに先端部が水平方向にヒンジ部材４を介して回動可能に取付けられた、該目地部２のほぼ半分以上を覆う先端部が開口５する上下板および背面板が係止片となる筒状の一方の目地プレート６と、この一方の目地プレート６内に先端部がスライド移動可能で、水平方向に回動可能に前記左右の建物３、３の他方の建物３の目地部側の壁躯体３ｂにヒンジ部材７を介して取付けられた他方の目地プレート８と、前記一方の目地プレート６の上面および下部背面に水平方向に形成されたガイド部９、９と、両端部が前記左右の目地部側の壁躯体３ｂ、３ｂに蝶番１０、１０、１０、１０を介して枢支された山形状に突出する中央部を枢支ピン１１、１１で枢支されたリンク本体１２、１２、このリンク本体１２、１２の左右のリンク１２ａ、１２ａ、１２ａ、１２ａのほぼ中央部に両端部が枢支ピン１３、１３、１３、１３で枢支され山形状に突出する中央部を前記ガイド部９、９の前記目地部のほぼ中央部部位で該ガイド部９、９とスライド移動可能に係合する係合片１４、１４で枢支された平行リンク１５、１５とからなる目地プレートの平行維持リンク装置１６、１６とで構成されている。
【０００９】
前記ガイド部９、９は図５および図６に示すように、リップミゾ形鋼形状の溝に形成されたものが使用されている。
【００１０】
上記構成の伸縮壁１は地震等によって目地部２が狭くなった場合には図７に示すように、他方の目地プレート８の先端部が一方の目地プレート６内をスライド移動しながら入り込むとともに、目地プレートの平行維持リンク装置１６、１６の係合片１４、１４がガイド部９、９をスライド移動して目地部２のほぼ中央部に位置して、一方の目地プレート６を平行状態に保つ。
【００１１】
目地部２が広くなった場合には図８に示すように、他方の目地プレート８の先端部が一方の目地プレート６内をスライド移動しながら伸長するとともに、目地プレートの平行維持リンク装置１６、１６の係合片１４、１４がガイド部９、９をスライド移動して、目地部２のほぼ中央部に位置して一方の目地プレート６を平行状態に保つ。
【００１２】
左右の建物３、３が異なる前後方向に揺れ動いた場合には、図９に示すように一方の目地プレート６と他方の目地プレート８とがヒンジ部材４、７部分で回動するとともに、目地プレートの平行維持リンク装置１６、１６も両端部の蝶番１０、１０、１０、１０の枢支ピン１０ａ、１０ａ、１０ａ、１０ａ部で回動してその揺れ動きを吸収する。
【００１３】
【発明の異なる実施の形態】
次に、図１０ないし図２４に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図１０ないし図１２に示す本発明の第２の実施の形態において、前記本発明の第１の実施の形態と主に異なる点は、一方の目地プレート６の上面および下部背面にリップミゾ形鋼形状のガイド部９、９を有するガイド部材１７、１７を固定するとともに、開閉扉１８を取付けた他方の目地プレート８Ａを用いた点で、このように構成した伸縮壁１Ａにしても、前記本発明の第１の実施の形態と同様な作用効果が得られる。
【００１５】
図１３ないし図１５に示す本発明の第３の実施の形態において、前記本発明の第１の実施の形態と主に異なる点は、下部に複数個のローラー１９を取付けた一方の目地プレート６Ａと、先端下部にローラー２０を取付けた他方の目地プレート８Ｂとを用いた点で、このように構成した伸縮壁１Ｂにしても、前記本発明の第１の実施の形態と同様な作用効果が得られるとともに、一方の目地プレート６Ａおよび他方の目地プレート８Ｂをよりスムーズに移動させることができる。
【００１６】
図１６ないし図１８に示す本発明の第４の実施の形態において、前記本発明の第２の実施の形態と主に異なる点は、一方の目地プレート６のほぼ中央背面および上面にリップミゾ形鋼形状のガイド部９、９を有するガイド部材１７、１７を用いて、目地プレートの平行維持リンク装置１６、１６を取付けた点で、このように構成した伸縮壁１Ｃにしても、前記本発明の第２の実施の形態と同様な作用効果が得られる。
なお、本発明の実施の形態では一方の目地プレート６のほぼ中央部の目地プレートの平行維持リンク装置１６だけでもよい。
【００１７】
図１９ないし図２１に示す本発明の第５の実施の形態において、前記本発明の第１の実施の形態と主に異なる点は、格子状のフレーム２１に板材２２、２２を固定した板状の一方の目地プレート６Ｂと、この一方の目地プレート６Ｂの上部および下部に他方の目地プレート８を該一方の目地プレート６Ｂに当接した状態でスライド移動可能に係止するＬ字状の係止片２３、２３を取付けた点で、このように構成した伸縮壁１Ｄにしても、前記本発明の第１の実施の形態と同様な作用効果が得られる。
【００１８】
図２２ないし図２４に示す本発明の第６の実施の形態において、前記本発明の第２の実施の形態と主に異なる点は、一方の目地プレート６の上部のガイド部９とほぼ中央部の係合片１４がスライド移動可能に係合する四角形状が２個できるパンタグラフ形状の目地プレートの平行維持リンク装置１６Ａを用いた点で、このように構成した伸縮壁１Ｅにしても、前記本発明の第２の実施の形態と同様な作用効果が得られる。
【００１９】
なお、前記本発明の各実施の形態ではガイド部９、９としてリップミゾ形鋼形状の溝を用いるものについて説明したが、本発明はこれに限らず、Ｔ字状のガイド部材を用い、このガイド部材のガイド部とスライド移動可能に係合するリップミゾ形鋼形状に先端部を形成した係合片を用いてもよい。
また、ガイド部材を目地プレートの先端部より突出可能にスライド移動可能に取付け、一方の目地プレートと他方の目地プレートとの先端部が離れても、目地部の中央部で一方の目地プレートと他方の目地プレートを支持できるようにしてもよい。
さらに、前記本発明の各実施の形態では目地プレートの平行維持リンク装置を目地プレートの背面に位置させるものに付いて説明したが、本発明はこれに限らず、目地プレートの上部や下部に設置することができる空間がある場合には目地プレートの上部や下部に配置してもよい。
【００２０】
【発明の効果】
以上の説明から明らかなように、本発明にあっては次に列挙する効果が得られる。
【００２１】
（１）目地部を介して建てられた左右の建物の一方の建物の目地部側の壁躯体に先端部が水平方向に回動可能に取付けられた、該目地部のほぼ半分以上を覆う一方の目地プレートと、この一方の目地プレートの先端部と先端部がスライド移動可能で水平方向に回動可能に前記左右の建物の他方の建物の目地部側の壁躯体に取付けられた他方の目地プレートと、この他方の目地プレートと前記一方の目地プレートとの先端部が当接した状態でスライド移動可能に係止する係止片と、前記一方の目地プレートの上下部あるいは背面の少なくとも１箇所あるいは前記他方の目地プレートの背面に水平方向に形成されたガイド部と、このガイド部の前記目地部のほぼ中央部部位で、該ガイド部とスライド移動可能に係合する係合片をほぼ中央部に有する伸縮可能で、該係合片部位が常時前記目地部のほぼ中央部に位置できる両端部が左右の目地部側の壁躯体に枢支される目地プレートの平行維持リンク装置とで構成されているので、目地部を一方の目地プレートと他方の目地プレートとで覆うことができる。
したがって、大きな目地部でも取り扱いが容易な大きさと重量の目地プレートを使用でき、設置作業を容易にできる。
【００２２】
（２）前記（１）によって、一方の目地プレートと他方の目地プレートとを伸縮および前後方向に回動させることができる。
したがって、地震等によって目地部が狭くなったり、広くなったりしても、一方の目地プレートと他方の目地プレートのスライド移動によって、その揺れ動きを吸収することができるとともに、一方の目地プレートと他方の目地プレートの先端部の水平方向の回動によって、異なる前後方向の揺れ動きを吸収することができる。
【００２３】
（３）前記（１）によって、目地プレートの平行維持リンク装置によって、一方の目地プレートを常時目地部のほぼ中央部で平行状態を保つように支持することができる。
したがって、一方の目地プレートと他方の目地プレートの移動を確実に阻止して、固定状態に安定状態で支持できる。
【００２４】
（４）前記（１）によって、構造が簡単で、容易に設置することができる。
【００２５】
（５）請求項２も前記（１）〜（４）と同様な効果が得られる。
【図面の簡単な説明】
【図１】本発明の第１の実施の形態の設置状態の正面図。
【図２】本発明の第１の実施の形態の設置状態の背面図。
【図３】本発明の第１の実施の形態の設置状態の平面図。
【図４】図１の４−４線に沿う断面図。
【図５】図１の５−５線に沿う断面図。
【図６】図１の６−６線に沿う断面図。
【図７】本発明の第１の実施の形態の目地部が狭くなった動作説明図。
【図８】本発明の第１の実施の形態の目地部が広くなった動作説明図。
【図９】本発明の第１の実施の形態の異なる前後方向の動作説明図。
【図１０】本発明の第２の実施の形態の設置状態の正面図。
【図１１】本発明の第２の実施の形態の設置状態の平面図。
【図１２】図１０の１２−１２線に沿う断面図。
【図１３】本発明の第３の実施の形態の設置状態の正面図。
【図１４】本発明の第３の実施の形態の設置状態の平面図。
【図１５】図１３の１５−１５線に沿う断面図。
【図１６】本発明の第４の実施の形態の設置状態の正面図。
【図１７】本発明の第４の実施の形態の設置状態の平面図。
【図１８】図１６の１８−１８線に沿う断面図。
【図１９】本発明の第５の実施の形態の設置状態の正面図。
【図２０】本発明の第５の実施の形態の設置状態の平面図。
【図２１】図１９の２０−２０線に沿う断面図。
【図２２】本発明の第６の実施の形態の設置状態の正面図。
【図２３】本発明の第６の実施の形態の設置状態の平面図。
【図２４】図２２の２４−２４線に沿う断面図。
【符号の説明】
１、１Ａ、１Ｂ、１Ｃ、１Ｄ、１Ｅ：伸縮壁、
２：目地部、            ３：建物、
４：ヒンジ部材、        ５：開口、
６、６Ａ、６Ｂ：一方の目地プレート、
７：ヒンジ部材、
８、８Ａ、８Ｂ：他方の目地プレート、
９：ガイド部、          １０：蝶番、
１１：枢支ピン、        １２：リンク本体、
１３：枢支ピン、        １４：係合片、
１５：平行リンク、
１６、１６Ａ：平行維持リンク装置、
１７：ガイド部材、      １８：開閉扉、
１９：ローラー、        ２０：ローラー、
２１：フレーム、        ２２：板材、
２３：係止片。
【図１】
0003565786.tif 000002
【図２】
0003565786.tif 000003
【図３】
0003565786.tif 000004
【図４】
0003565786.tif 000005
【図５】
0003565786.tif 000006
【図６】
0003565786.tif 000007
【図７】
0003565786.tif 000008
【図８】
0003565786.tif 000009
【図９】
0003565786.tif 000010
【図１０】
0003565786.tif 000011
【図１１】
0003565786.tif 000012
【図１２】
0003565786.tif 000013
【図１３】
0003565786.tif 000014
【図１４】
0003565786.tif 000015
【図１５】
0003565786.tif 000016
【図１６】
0003565786.tif 000017
【図１７】
0003565786.tif 000018
【図１８】
0003565786.tif 000019
【図１９】
0003565786.tif 000020
【図２０】
0003565786.tif 000021
【図２１】
0003565786.tif 000022
【図２２】
0003565786.tif 000023
【図２３】
0003565786.tif 000024
【図２４】
0003565786.tif 000025